(57)【要約】【課題】  護岸成形作業が容易にできるようにし、更に、岸を長期にわたり所定形状に保持できるという好ましい護岸が得られるようにする。【解決手段】  岸１における傾斜した法面２に沿って延び、この法面２を被覆する被覆材３を設ける。被覆材３が、法面２に沿った水平方向Ａで複数設けられる護岸シート４を有し、これら各護岸シート４が、法面２に対する垂直方向Ｂで互いに対面すると共に、法面２に沿った傾斜方向Ｃでの下縁部６が互いに結合された上、下シート７，８を備える。水平方向Ａで隣り合う上、下シート７，８のそれぞれ互いの対向縁部１８，１８同士を連結させて、各護岸シート４の内部空間１９を互いに連通させ、これら内部空間１９に充填材２０を充填する。【選択図】    図１
2005068917.tif 000002
【特許請求の範囲】
【請求項１】
岸における傾斜した法面に沿って延び、この法面を被覆する被覆材を設けた護岸構造において、
上記被覆材が、上記法面に沿った水平方向で複数設けられる護岸シートを有し、これら各護岸シートが、上記法面に対する垂直方向で互いに対面すると共に、上記法面に沿った傾斜方向での下縁部が互いに結合された上、下シートを備え、上記水平方向で隣り合う上、下シートのそれぞれ互いの対向縁部同士を連結させて、上記各護岸シートの内部空間を互いに連通させ、これら内部空間に充填材を充填したことを特徴とする護岸構造。
【請求項２】
上記上、下シートのそれぞれ各部分が互いに所定寸法以上に離れることを防止するようこれら上、下シートの各部分同士を互いに連結させる連結体を備えたことを特徴とする請求項１に記載の護岸構造。
【請求項３】
互いに結合される上記対向縁部同士を上記垂直方向で互いに重ね合わせたことを特徴とする請求項１、もしくは２に記載の護岸構造。
【請求項４】
上記傾斜方向での上記上、下シートの各上縁部の間に開口を形成し、この開口を通し、上記護岸シートの外部から上記内部空間に上記充填材を充填可能としたことを特徴とする請求項１から３のうちいずれか１つに記載の護岸構造。
【請求項５】
上記水平方向における上記護岸シートのほぼ全体にわたり上記開口を形成したことを特徴とする請求項４に記載の護岸構造。
【請求項６】
岸における傾斜した法面を被覆材で被覆する護岸の構築方法であって、
上記被覆材が、上記法面に沿った水平方向で複数設けられる護岸シートを有し、これら各護岸シートが、上記法面に対する垂直方向で互いに対面すると共に、上記法面に沿った傾斜方向での下縁部が互いに結合された上、下シートを備えるようにし、上記水平方向で隣り合う上、下シートのそれぞれ互いの対向縁部同士を連結させて、上記各護岸シートの内部空間を互いに連通させ、
上記傾斜方向での上記上、下シートの各上縁部の間の開口を通し、上記護岸シートの外部から上記内部空間を充填することを特徴とする護岸の構築方法。
【発明の詳細な説明】
【技術分野】
【０００１】
本発明は、岸における傾斜した法面を被覆する被覆材を設けた護岸構造、および護岸の構築方法に関するものである。
【背景技術】
【０００２】
上記護岸構造には、従来、下記特許文献１に示されたものがある。この公報のものによれば、岸における傾斜した法面に沿って延び、この法面を被覆する被覆材が設けられている。この被覆材は、上記法面に沿って複数設けられる護岸部材と、これら各護岸部材を互いに連結させる複数の連結材とを有している。また、上記護岸部材は、袋状体と、この袋状体の内部空間に充填される充填材とを備えている。
【０００３】
そして、上記したように岸の法面が被覆材によって被覆されることにより、岸が護岸され、もって、岸の浸食や波による洗掘などが防止されて、岸が長期にわたり所定形状を保つようになされている。
【０００４】
【特許文献１】特開２００３−１７１９２２号公報
【発明の開示】
【発明が解決しようとする課題】
【０００５】
ところで、上記特許文献１の護岸構造によれば、複数の護岸部材は個別に設けられているため、上記護岸の構築作業時には、各袋状体の内部空間にそれぞれ充填材を充填することにより、上記各護岸部材をそれぞれ個別に成形する必要があり、よって、上記護岸の構築作業は極めて煩雑になるおそれがある。
【０００６】
しかも、上記法面上で互いに隣り合う護岸部材の間には連結材が存在していて、これら各連結材に対応する上記岸の各部分は、十分には被覆されないため、上記岸の各部分は波により短期に洗掘されるおそれがあり、よって、上記特許文献１のものでは、岸を長期にわたり所定形状に保持させる、という好ましい護岸を得る上で、必ずしも満足のいくものではない。
【０００７】
そこで、上記被覆材を、上記法面を全体的に被覆する固化処理土で構成することが考えられるが、このような固化処理土は一般に流動性を有しているため、法面が急勾配であるとしても、上記固化処理土により構築される護岸は上記固化処理土の自重による流動によって緩勾配となりがちである。この結果、この護岸の構築に用いる上記固化処理土の量が無用に多量に必要となって、その分、上記護岸の構築作業は極めて煩雑となり、また、固化処理土に用いるセメントの量が多量に必要となるなど、構築費用が高価となる。
【課題を解決するための手段】
【０００８】
本発明は、上記のような事情に注目してなされたもので、本発明の目的は、護岸の構築作業が容易にできるようにし、更に、岸を長期にわたり所定形状に保持できるという好ましい護岸が得られるようにすることである。また、このような護岸の構築が安価にできるようにすることである。
【０００９】
請求項１の発明は、岸１における傾斜した法面２に沿って延び、この法面２を被覆する被覆材３を設けた護岸構造において、
上記被覆材３が、上記法面２に沿った水平方向Ａで複数設けられる護岸シート４を有し、これら各護岸シート４が、上記法面２に対する垂直方向Ｂで互いに対面すると共に、上記法面２に沿った傾斜方向Ｃでの下縁部６が互いに結合された上、下シート７，８を備え、上記水平方向Ａで隣り合う上、下シート７，８のそれぞれ互いの対向縁部１８，１８同士を連結させて、上記各護岸シート４の内部空間１９を互いに連通させ、これら内部空間１９に充填材２０を充填したものである。
【００１０】
請求項２の発明は、請求項１の発明に加えて、上記上、下シート７，８のそれぞれ各部分が互いに所定寸法以上に離れることを防止するようこれら上、下シート７，８の各部分同士を互いに連結させる連結体１１を備えたものである。
【００１１】
請求項３の発明は、請求項１、もしくは２の発明に加えて、互いに結合される上記対向縁部１８，１８同士を上記垂直方向Ｂで互いに重ね合わせたものである。
【００１２】
請求項４の発明は、請求項１から３のうちいずれか１の発明に加えて、上記傾斜方向Ｃでの上記上、下シート７，８の各上縁部１３，１３の間に開口２５を形成し、この開口２５を通し、上記護岸シート４の外部から上記内部空間１９に上記充填材２０を充填可能としたものである。
【００１３】
請求項５の発明は、請求項４の発明に加えて、上記水平方向Ａにおける上記護岸シート４のほぼ全体にわたり上記開口２５を形成したものである。
【００１４】
請求項６の発明は、岸１における傾斜した法面２を被覆材３で被覆する護岸の構築方法であって、
上記被覆材３が、上記法面２に沿った水平方向Ａで複数設けられる護岸シート４を有し、これら各護岸シート４が、上記法面２に対する垂直方向Ｂで互いに対面すると共に、上記法面２に沿った傾斜方向Ｃでの下縁部６が互いに結合された上、下シート７，８を備えるようにし、上記水平方向Ａで隣り合う上、下シート７，８のそれぞれ互いの対向縁部１８，１８同士を連結させて、上記各護岸シート４の内部空間１９を互いに連通させ、
上記傾斜方向Ｃでの上記上、下シート７，８の各上縁部１３，１３の間の開口２５を通し、上記護岸シート４の外部から上記内部空間１９を充填するものである。
【００１５】
なお、この項において、上記各用語に付記した符号は、本発明の技術的範囲を後述の「実施例」の項の内容に限定解釈するものではない。
【発明の効果】
【００１６】
本発明による効果は、次の如くである。
【００１７】
請求項１の発明は、岸における傾斜した法面に沿って延び、この法面を被覆する被覆材を設けた護岸構造において、
上記被覆材が、上記法面に沿った水平方向で複数設けられる護岸シートを有し、これら各護岸シートが、上記法面に対する垂直方向で互いに対面すると共に、上記法面に沿った傾斜方向での下縁部が互いに結合された上、下シートを備え、上記水平方向で隣り合う上、下シートのそれぞれ互いの対向縁部同士を連結させて、上記各護岸シートの内部空間を互いに連通させ、これら内部空間に充填材を充填してある。
【００１８】
このため、上記被覆材の各護岸シート同士は互いに結合されていてその各内部空間は互いに連通していることから、上記各内部空間に充填される充填材は互いに一体化される。よって、護岸の構築作業時、上記各護岸シート毎に上記充填材を個別に充填して形成するということは不要であり、その分、上記護岸の構築作業が容易にできる。
【００１９】
また、上記したように被覆材の各護岸シート同士は互いに結合されて、これら各護岸シートの内部空間が互いに連通し、これら内部空間に充填材が充填されて互いに一体化されることから、上記法面は上記被覆材によって、より全体的に被覆されることとなる。よって、上記岸が浸食されたり波により洗掘されるということは、上記被覆材によって、より確実に防止され、より好ましい護岸が得られる。
【００２０】
請求項２の発明は、上記上、下シートのそれぞれ各部分が互いに所定寸法以上に離れることを防止するようこれら上、下シートの各部分同士を互いに連結させる連結体を備えている。
【００２１】
このため、上記被覆材の各護岸シートの内部空間の最大容量は上記連結体によって、ある程度に定められることから、上記各護岸シートの内部空間に充填材を充填したとき、この充填材に流動性があるとしても、上記内部空間への充填材の充填量は上記最大容量に相応するよう制限される。
【００２２】
よって、上記被覆材における充填材が無用に多量に必要になるということは防止されて、この充填材の量は予定し得る適正量に抑制され、その分、護岸の構築作業がより容易になると共に、構築費用がより安価となる。
【００２３】
請求項３の発明は、互いに結合される上記対向縁部同士を上記垂直方向で互いに重ね合わせてある。
【００２４】
このため、上記水平方向で隣り合う上、下シートのそれぞれ互いの対向縁部同士の間に隙間が生じることは防止される。よって、上記各護岸シートの内部空間に充填材を充填させたとき、この充填材の一部が上記対向縁部同士の間から洩出するということが防止され、その分、上記護岸の構築作業は更に容易となる。
【００２５】
また、上記したように対向縁部同士を重ね合わせた分、これら対向縁部同士の結合を強固にでき、その分、更に好ましい護岸が得られる。
【００２６】
請求項４の発明は、上記傾斜方向での上記上、下シートの各上縁部の間に開口を形成し、この開口を通し、上記護岸シートの外部から上記内部空間に上記充填材を充填可能としてある。
【００２７】
このため、上記法面上に敷設した各護岸シートの内部空間に充填材を充填するとき、単に、上記開口を通して充填材を充填させればよく、このようにすれば、この充填材は上記各内部空間内を自重によって自然流下（落下を含む）し、これら内部空間内の広い範囲にわたり充填される。よって、上記各内部空間への充填材の充填作業が容易にできることから、上記護岸の構築作業は容易にできる。
【００２８】
請求項５の発明は、上記水平方向における上記護岸シートのほぼ全体にわたり上記開口を形成してある。
【００２９】
このため、上記開口を通しての各内部空間への充填材の充填は上記護岸シートの上記水平方向における各部ですることができ、よって、上記各内部空間への充填材の充填位置に制約がない分、上記内部空間への充填材の充填作業の自由度が向上し、この点でも、上記護岸の構築作業がより容易となる。
【００３０】
請求項６の発明は、岸における傾斜した法面を被覆材で被覆する護岸の構築方法であって、
上記被覆材が、上記法面に沿った水平方向で複数設けられる護岸シートを有し、これら各護岸シートが、上記法面に対する垂直方向で互いに対面すると共に、上記法面に沿った傾斜方向での下縁部が互いに結合された上、下シートを備えるようにし、上記水平方向で隣り合う上、下シートのそれぞれ互いの対向縁部同士を連結させて、上記各護岸シートの内部空間を互いに連通させ、
上記傾斜方向での上記上、下シートの各上縁部の間の開口を通し、上記護岸シートの外部から上記内部空間を充填してある。
【００３１】
このため、特に、上記請求項１，４の上記した効果が生じる。
【発明を実施するための最良の形態】
【００３２】
本発明の護岸構造に関し、護岸の構築作業が容易にできるようにし、更に、十分な護岸が得られるようにする、という目的を実現するため、本発明を実施するための最良の形態は、次の如くである。
【００３３】
即ち、岸における傾斜した法面に沿って延び、この法面を被覆する被覆材が設けられる。この被覆材が、上記法面に沿った水平方向で複数設けられる護岸シートを有している。これら各護岸シートは、上記法面に対する垂直方向で互いに対面すると共に、上記法面に沿った傾斜方向での下縁部が互いに一体的に結合された上、下シートを備えている。上記水平方向で隣り合う上、下シートのそれぞれ互いの対向縁部同士が連結させられて、上記各護岸シートが互いに結合されると共に、これら各護岸シートの内部空間が互いに連通させられ、これら内部空間にセメントなど、固化材を含む充填材が充填される。
【実施例】
【００３４】
本発明をより詳細に説明するために、その実施例を添付の図に従って説明する。
【００３５】
図は護岸構造を示しており、図中符号１は護岸を施工しようとする岸であり、２は、この岸１における傾斜した法面である。
【００３６】
上記法面２に沿って延び、この法面２を被覆する被覆材３が設けられている。この被覆材３は、上記法面２に沿った水平方向Ａで複数設けられる耐候性、耐水性に優れ、強度の大きい護岸シート４を有している。
【００３７】
上記各護岸シート４は、上記法面２に対する垂直方向Ｂで互いに対面すると共に、上記法面２に沿った傾斜方向Ｃでの各下縁部６が互いに一体的に結合された通水性のある上、下シート７，８と、上記水平方向Ａでの上記上、下シート７，８の各端縁部９と中途部とに溶着や縫合などにより固着されて上記上、下シート７，８を補強する補強ベルト１０と、上記垂直方向Ｂで上記上、下シート７，８のそれぞれ各部分が互いに所定寸法以上に離れることを防止するようこれら上、下シート７，８の各部分同士を互いに連結させるロープ製の複数の連結体１１と、上記傾斜方向Ｃでの上記上、下シート７，８の各上縁部１３から上方に向かって突出する複数の掛止ベルト１４とを備えている。
【００３８】
上記上、下シート７，８は、一枚の長尺のシートがその長手方向の中途部で折り曲げられ、上記水平方向Ａに沿った視線でみて、上記傾斜方向Ｃに沿うほぼＵ字形状となるよう成形されたもので、上記上、下シート７，８はそれぞれ全体として上記傾斜方向Ｃに長く延びている。
【００３９】
上記各補強ベルト１０は、上記上、下シート７，８の長手方向のほぼ全体にわたり設けられている。また、上記補強ベルト１０にはその長手方向に沿ってほぼ等ピッチで孔１６が形成されている。上記各連結体１１は、上記孔１６に挿通され上、下シート７，８に固着された各補強ベルト１０の部分を抱き込むようにして上記上、下シート７，８を強固に連結している。また、上記各掛止ベルト１４の基部は、上記上、下シート７，８と補強ベルト１０との固着部に強固に固着されている。
【００４０】
上記水平方向Ａで隣り合う上、下シート７，８のそれぞれ互いの対向縁部１８，１８同士が上記垂直方向Ｂで互いに重ね合わされて溶着や縫合などにより連結され、上記各護岸シート４の内部空間１９が互いに連通させられている。なお、上記各対向縁部１８は上記端縁部９に相当している。また、上記各内部空間１９には充填材２０が充填されている。この充填材２０は、例えば、粘土２２と、セメント２３との混合物であり、上記充填材２０は、上記内部空間１９への充填時にはペースト状であるが、その後、セメント２３の働きで固化される。
【００４１】
上記傾斜方向Ｃでの上記上、下シート７，８の各上縁部１３，１３の間には、上記内部空間１９を護岸シート４の内外を連通させる開口２５が形成されており、この開口２５を通し、上記護岸シート４の外部から上記内部空間１９に上記充填材２０が充填可能とされている。上記水平方向Ａにおける上記護岸シート４のほぼ全体にわたり上記開口２５が形成されている。
【００４２】
次に、上記護岸の構築方法につき説明する。
【００４３】
上記方法により、護岸の構築作業をする場合には、まず、上記岸１の法面２上に護岸シート４を敷設するが、この場合、法面２上において、上記上、下シート７，８を水平方向Ａで順次結合しながら敷設してもよく、予め工場で結合したものを上記法面２上に敷設してもよい。
【００４４】
次に、上記法面２の上部の上方域で、上記水平方向Ａに延びる支持パイプ２６を設置してこれを上記岸１に固定する。そして、上記支持パイプ２６に上記掛止ベルト１４を掛止させることにより、上記護岸シート４が法面２に沿ってその傾斜方向Ｃの下方にずり落ちることを防止する。
【００４５】
次に、流体用ポンプ２７により、上記粘土２２とセメント２３とを吸入し、混合して充填材２０を成形する一方、この充填材２０をポンプ２７により上記開口２５を通し上記護岸シート４の内部空間１９に充填する。この場合、上記上、下シート７，８が上記充填材２０の圧力により所定以上に離れようとすることは、上記連結体１１により防止される。そして、上記法面２上に被覆材３が敷設されて、この被覆材３により法面２が被覆される。上記充填材２０がセメント２３の働きにより固化すれば、上記護岸の構築作業が完了する。
【００４６】
上記構成によれば、被覆材３が、上記法面２に沿った水平方向Ａで複数設けられる護岸シート４を有し、これら各護岸シート４が、上記法面２に対する垂直方向Ｂで互いに対面すると共に、上記法面２に沿った傾斜方向Ｃでの下縁部６が互いに結合された上、下シート７，８を備え、上記水平方向Ａで隣り合う上、下シート７，８のそれぞれ互いの対向縁部１８，１８同士を連結させて、上記各護岸シート４の内部空間１９を互いに連通させ、これら内部空間１９に充填材２０を充填してある。
【００４７】
このため、上記被覆材３の各護岸シート４同士は互いに結合されていてその各内部空間１９は互いに連通していることから、上記各内部空間１９に充填される充填材２０は互いに一体化される。よって、護岸の構築作業時、上記各護岸シート４毎に上記充填材２０を個別に充填して形成するということは不要であり、その分、上記護岸の構築作業が容易にできる。
【００４８】
また、上記したように被覆材３の各護岸シート４同士は互いに結合されて、これら各護岸シート４の内部空間１９が互いに連通し、これら内部空間１９に充填材２０が充填されて互いに一体化されることから、上記法面２は上記被覆材３によって、より全体的に被覆されることとなる。よって、上記岸１が浸食されたり波により洗掘されるということは、上記被覆材３によって、より確実に防止され、より好ましい護岸が得られる。
【００４９】
また、特に、上記した充填材２０に浚渫粘土にセメントなどを配合した混合処理土などの遮水性のある材料を使用すれば、遮水性護岸を構築できる。このようにすれば、より好ましい護岸と遮水性とが共に強く要求される廃棄物処理場の埋立護岸の構築が可能となる。
【００５０】
また、前記したように、上、下シート７，８のそれぞれ各部分が互いに所定寸法以上に離れることを防止するようこれら上、下シート７，８の各部分同士を互いに連結させる連結体１１を備えている。
【００５１】
このため、上記被覆材３の各護岸シート４の内部空間１９の最大容量は上記連結体１１によって、ある程度に定められることから、上記各護岸シート４の内部空間１９に充填材２０を充填したとき、この充填材２０に流動性があるとしても、上記内部空間１９への充填材２０の充填量は上記最大容量に相応するよう制限される。
【００５２】
よって、上記被覆材３における充填材２０が無用に多量に必要になるということは防止されて、この充填材２０の量は予定し得る適正量に抑制され、その分、護岸の構築作業がより容易になると共に、構築費用がより安価となる。
【００５３】
また、前記したように、互いに結合される上記対向縁部１８，１８同士を上記垂直方向Ｂで互いに重ね合わせてある。
【００５４】
このため、上記水平方向Ａで隣り合う上、下シート７，８のそれぞれ互いの対向縁部１８，１８同士の間に隙間が生じることは防止される。よって、上記各護岸シート４の内部空間１９に充填材２０を充填させたとき、この充填材２０の一部が上記対向縁部１８，１８同士の間から洩出するということが防止され、その分、上記護岸の構築作業は更に容易となる。
【００５５】
また、上記したように対向縁部１８同士を重ね合わせた分、これら対向縁部１８同士の結合を強固にでき、その分、更に好ましい護岸が得られる。
【００５６】
また、前記したように、傾斜方向Ｃでの上記上、下シート７，８の各上縁部１３，１３の間に開口２５を形成し、この開口２５を通し、上記護岸シート４の外部から上記内部空間１９に上記充填材２０を充填可能としてある。
【００５７】
このため、上記法面２上に敷設した各護岸シート４の内部空間１９に充填材２０を充填するとき、単に、上記開口２５を通して充填材２０を充填させればよく、このようにすれば、この充填材２０は上記各内部空間１９内を自重によって自然流下し、これら内部空間１９内の広い範囲にわたり充填される。よって、上記各内部空間１９への充填材２０の充填作業が容易にできることから、上記護岸の構築作業は容易にできる。
【００５８】
また、前記したように、水平方向Ａにおける上記護岸シート４のほぼ全体にわたり上記開口２５を形成してある。
【００５９】
このため、上記開口２５を通しての各内部空間１９への充填材２０の充填は上記護岸シート４の上記水平方向Ａにおける各部ですることができ、よって、上記各内部空間１９への充填材２０の充填位置には制約がない分、上記内部空間１９への充填材２０の充填作業の自由度が向上し、この点でも、上記護岸構造の構築作業がより容易となる。
【００６０】
なお、以上は図示の例によるが、互いに別体の上、下シート７，８の各下縁部６，６を互いに固着して護岸シート４を成形してもよく、この護岸シート４は網状のものであってもよい。また、連結体１１はベルト、ワイヤー、チェーン、針金などであってもよい。また、充填材２０は小石、砂、ヘドロなどを含んでいてもよい。
【図面の簡単な説明】
【００６１】
【図１】護岸構造の部分斜視一部破断図である。
【図２】護岸構造の側面断面一部破断図である。
【図３】図１の３‐３線矢視断面図である。
【図４】図３の４‐４線矢視断面図である。
【符号の説明】
【００６２】
１    岸
２    法面
３    被覆材
４    護岸シート
６    下縁部
７    上シート
８    下シート
１１  連結体
１３  上縁部
１８  対向縁部
１９  内部空間
２０  充填材
２５  開口
Ａ    水平方向
Ｂ    垂直方向
Ｃ    傾斜方向
【図１】
2005068917.tif 000003
【図２】
2005068917.tif 000004
【図３】
2005068917.tif 000005
【図４】
2005068917.tif 000006